(57)【特許請求の範囲】
【請求項１】
着呼時に発呼側が通話を希望しているか通信を希望しているかを自動判定可能な通信装置であって、
呼出音の送出回数を変更するように指示する指示手段と、
上記指示手段からの指示に基づいて、該指示後の次以降の着呼に対して、通信が成功するまで呼出音の送出回数を上記指示手段により指示された回数とするように制御する制御手段と、を有することを特徴とする通信装置。
【発明の詳細な説明】
【０００１】
【産業上の利用分野】
本発明はファクシミリ装置等の通信装置に関する。
【０００２】
【従来の技術】
通常のファクシミリ装置（例えば、三洋電機（株）製ＳＦＸ−Ｐ３１ＣＬ）は、電話モードとファクシミリモードと留守モードの３つの受信モードを有しており、どのモードを実行するかを予めユーザが設定することが可能である。
【０００３】
上記電話モードでは、着呼時に所定回数の呼出音をスピーカから送出し終えると自動的に回線を閉結すると共に発呼側がファクシミリ通信を希望していることを示す周波数１１００ＨｚのＣＮＧ信号の検出を開始する。
【０００４】
上記ファクシミリモードでは、着呼を検出すると即座に回線を接続すると共に回線からのＣＮＧ信号の検出を開始し、ＣＮＧ信号を検出するとファクシミリ受信を行い、一方、ＣＮＧ信号を検出しなければ所定の回数の呼出音をスピーカから送出した後に、例えば“ＦＡＸに切換えます”という音声メッセージを回線へ送出した後、ファクシミリ受信を開始する。
【０００５】
上記留守モードでは、着呼を検出すると所定回数の呼出音をスピーカから送出した後に自動的に回線を接続すると共にＣＮＧ信号の検出を開始し、続いて応答メッセージ（例えば、“ただ今出かけております”等のメッセージ）を回線へ送出した後に回線からの用件メッセージ（被呼側からのメッセージ）の記憶を開始する。
【０００６】
尚、これらの各モードにおいて、電話からの着呼時に、呼出音に応答して着呼側ユーザがハンドセットを取り上げると通話可能な状態となり、通話中に発呼側ユーザがスタートボタンを押下することによりファクシミリ送信を行うことが可能である。一方、着呼側ユーザは、通話中に発呼側からファクシミリ送信を開始する旨のメッセージを聞いた後にスタートキーを押下することにより、ファクシミリ受信を開始することが可能である。
【０００７】
【発明が解決しようとする課題】
上述したように、発呼側と着呼側との間で通話が行われている際に、発呼側のユーザが着呼側に対して今からファクシミリ通信を行う旨を伝え、発呼側と着呼側の両ユーザがファクシミリ通信を開始する操作（例えば、スタートキーの押下）を行うことによりファクシミリ通信を行うことが可能であるが、両ユーザが操作に慣れていない場合には、発呼側のユーザが着呼側ユーザに対して今からファクシミリ通信を行う旨を伝えた後にハンドセットをオンフックして回線を一旦開放した後に、自動送信機能を利用して再度回線を接続してファクシミリ送信を行っていた。
【０００８】
しかし、このように着呼がファクシミリ受信であることが明白な場合でも、着呼側装置が電話モードや留守モードに設定されていると共に、着呼側で設定された着呼開始から回線接続までの呼出音送出に要する時間（呼出音送出回数）が発呼側の相手応答待ち時間よりも大であれば、着呼側のユーザが呼出を放置したり、着呼に対して応答が遅れ操作が間に合わなかった場合には、発呼側の相手応答待ち時間内に着呼側からの応答がないため、発呼側が回線を開放し、結果的にファクシミリ通信を開始することができないこととなる。
【０００９】
このような問題を回避するには、着呼側装置のユーザは、着呼時の呼出音送出に要する時間（呼出音送出回数）を発呼側の相手応答待ち時間よりも短くなるように設定する必要があるが、操作になれていないユーザにとって即座に設定変更を行うことは困難である。
【００１０】
【課題を解決するための手段】
本発明は、簡単な操作で呼出音の送出回数を一時的に少なくすることにより、通話終了後のファクシミリ受信を確実に実行するものであり、
着呼時に発呼側が通話を希望しているか通信を希望しているかを自動判定可能な通信装置であって、呼出音の送出回数を変更するように指示する指示手段と、上記指示手段からの指示に基づいて、該指示後の次以降の着呼に対して、通信が成功するまで呼出音の送出回数を上記指示手段により指示された回数とするように制御する制御手段と、を有することを特徴とする。
【００１１】
【発明の実施の形態】
以下、本発明を適用してなる実施例であるファクシミリ装置について説明する。
【００１２】
図１は、本実施例装置のブロック図である。
【００１３】
図１において、制御部１０は、以下に示す各回路を司るメインＣＰＵである。
【００１４】
ＮＣＵ（Ｎｅｔｗｏｒｋ  Ｃｏｎｔｒｏｌ  Ｕｎｉｔ）２０は、制御部１０の制御に基づいて回線Ｌからの着信信号の検出や回線の閉結等を行う。
【００１５】
ダイヤラ２５は、ＮＣＵ２０を介して回線へダイヤル番号を送出する。
【００１６】
モデム３０は、ＮＣＵ２０と接続されており、ＣＮＧ信号やＤＩＳ信号等のファクシミリ制御信号の送受信や、画情報の変復調を行う。
【００１７】
符号化復号化部４０は画情報の符号化、復号化を行う。
【００１８】
スキャナ５０は画情報の読取を行い、プリンタ６０は画情報の印刷を行う。
【００１９】
ＤＳＰ（Ｄｉｇｉｔａｌ  Ｓｉｇｎａｌ  Ｐｒｏｃｅｓｓｏｒ）７０は、回線Ｌと接続された相手先へ送信する応答メッセージを複数格納すると共に、回線Ｌから入力した相手先からの用件メッセージを複数件格納可能である。
【００２０】
記憶部８０は、例えばＳＲＡＭ（Ｓｔａｔｉｃ  Ｒａｎｄｏｍ  ＡｃｃｅｓｓＭｅｍｏｒｙ）からなり、上記制御部１０が処理に必要な各種パラメータや、ファクシミリ装置が電話モード、留守モード、ファクシミリモードのいずれのモードに設定されているかを示すデータ（設定データ）や、各モードにおける回線接続までの呼出音送出回数を示すデータ（通常呼出回数データ）や、上記設定データが電話モード又は留守モードである場合にスタートキーの押下に基づいて一時的に変更する呼出音の送出回数を示すデータ（強制呼出回数データ）や、上記呼出回数データを呼出回数として設定するか否かを示すフラグ（呼出回数フラグ）等を格納する。
【００２１】
入力部９０は、テンキー、スタートキー、上下キー、登録キー等を有し、上記登録キーと上下キーは、上記記憶部８０に格納されている設定データや呼出回数を設定する為のキーであり、上記スタートキーは、ファクシミリの送受信指示や上記モードフラグをオン或いはオフ指示する為のキーである。
【００２２】
ＲＯＭ（Ｒｅａｄ  Ｏｎｌｙ  Ｍｅｍｏｒｙ）１００は、制御部１０の制御プログラムを格納する。
【００２３】
フックスイッチ１１０は、ハンドセット１２０のオンフック／オフフックを検出する。
【００２４】
表示部１３０は、電話番号や上記記憶部９０に格納されている設定データやモードフラグの状態を表示する。
【００２５】
スピーカ１４０は、リンガ１５０と接続されており、リンガ１５０から入力した呼出音を送出する。
【００２６】
以下本実施例装置の動作について説明する。
【００２７】
図２〜４は、本実施例装置の動作を示すフロー図である。
【００２８】
Ｓ２００ステップにおいて、制御部１０は、NCU９０から着信があることを示す信号を検出すると、図３に示すS３０１ステップへ処理を進め、そうでなければ、S２０１ステップへ処理を進める。
【００２９】
Ｓ２０１ステップにおいて、制御部１０は、入力部９０からキーの入力があると判定するとＳ２０２ステップへ処理を進め、そうでなければＳ２０７ステップへ処理を進める。
【００３０】
Ｓ２０２ステップにおいて、制御部１０は、上記Ｓ２０１ステップにおいて押下されたキーがスタートキーであると判定するとＳ２０３ステップへ処理を進め、そうでなければＳ２０６ステップへ処理を進める。
【００３１】
Ｓ２０３ステップにおいて、制御部１０は、既に相手先の電話番号（ＦＡＸ番号）が入力部９０から入力され、電話番号（ＦＡＸ番号）が表示部１３０に表示されていると判定すると、Ｓ２０４ステップへ処理を進め、そうでなければＳ２０５ステップへ処理を進める。
【００３２】
Ｓ２０４ステップにおいて、制御部１０は、ダイヤラ２５を制御することにより表示部１３０に表示されている電話番号を回線へダイヤル発信させ、通話（通信）終了後、Ｓ２００ステップへ処理を戻す。
【００３３】
Ｓ２０５ステップにおいて、制御部１０は、記憶部８０に格納されているモードフラグを、オフの時はオンに、オンの時にはオフに切換え、Ｓ２００ステップへ処理を戻す。
【００３４】
Ｓ２０６ステップにおいて、制御部１０は、押下されたキーに対応する処理を行う。例えば、モード（電話モード、ファクシミリモード、留守モード）の設定や、相手先の電話番号の入力や、記憶部８０に格納されている通常呼出回数データや強制呼出回数データの設定等の処理を行い、Ｓ２００ステップへ処理を戻す。
【００３５】
Ｓ２０７ステップにおいて、制御部１０は、フックスイッチ１１０がオフフックであると判定するとＳ２０８ステップへ処理を進め、そうでなければＳ２００ステップへ処理を戻す。
【００３６】
Ｓ２０８ステップにおいて、制御部１０は、入力部９０からダイヤル入力があると判定するとＳ２０９ステップへ処理を進め、そうでなければＳ２１１ステップへ処理を進める。
【００３７】
Ｓ２０９ステップにおいて、制御部１０は、ダイヤラ２５を制御することにより、上記Ｓ２０８ステップにおいて入力された相手先の電話番号を回線Ｌへダイヤル発信させる。
【００３８】
続くＳ２１０ステップにおいて、制御部１０は、着呼側の応答に応じて通話処理を開始し、Ｓ２１４ステップへ処理を進める。
【００３９】
Ｓ２１１ステップにおいて、制御部１０は、入力部９０からスタートキーの押下があると判定すると、Ｓ２１２ステップへ処理を進め、そうでなければＳ２０７ステップへ処理を戻す。
【００４０】
Ｓ２１２ステップにおいて、制御部１０は、スキャナ５０に原稿がセットされていると判定するとＳ２１３ステップへ処理を進める、一方、そうでなければＳ２１５ステップへ処理を進める
Ｓ２１３ステップにおいて、制御部１０は、モデム３０を制御することにより回線ＬにＣＮＧ信号等のファクシミリ送信を希望する旨を相手方に知らせる為の制御信号を送受信し、又、相手方が所定時間内に応答したならば、スキャナ５０にセットされている原稿を読み込み、その画情報をモデム３０にて変調させた後にＮＣＵ２０を介して回線Ｌへ送出させ、Ｓ２１４ステップへ処理を進める。
【００４１】
Ｓ２１４ステップにおいて、制御部１０は、ＮＣＵ２０を制御することにより回線Ｌを切断させ、Ｓ２００ステップへ処理を戻す。
【００４２】
Ｓ２１５ステップにおいて、制御部１０は、モデム３０を制御することにより、ＤＩＳ信号等のファクシミリ受信を希望する旨を相手方に知らせる為の制御信号を送信し、所定時間内に相手方がこれに応答して画情報を送信してきたならば、画情報の復調をモデム３０に行わせ、受信した画情報をプリンタ６０で印刷させた後に、Ｓ２１４ステップへ処理を進める。
【００４３】
図３に示すＳ３０１ステップにおいて、制御部１０は、記憶部８０から設定データを読み込み、そのデータがファクシミリモードであると判定するとＳ３０２ステップへ処理を進め、そうでなければＳ３１４ステップへ処理を進める。
【００４４】
Ｓ３０２ステップにおいて、制御部１０は、ＮＣＵ２０を制御することにより回線を接続すると共に、モデム３０を制御することによりＣＮＧ信号の検出を開始する。
【００４５】
続くＳ３０３ステップでは、制御部１０は、所定時間（例えば、３秒）以内にモデム３０からＣＮＧ信号を受信したことを示す信号を検出するとＳ３０４ステップへ処理を進め、そうでなければＳ３０９ステップへ処理を進める。
【００４６】
Ｓ３０４ステップでは、制御部１０は、ファクシミリ通信処理を行う。具体的には、制御部１０がモデム３０を制御することにより、ＤＩＳ信号等のファクシミリ制御信号の送受信を行い、続いて回線Ｌから入力した画情報をモデム３０にて復調しプリンタ６０にて印刷する。
【００４７】
続くＳ３０５ステップにおいて、制御部１０は、ファクシミリ通信が正常に終了したと判定するとＳ３０６ステップへ処理を進め、そうでなければＳ３０７ステップへ処理を進める。
【００４８】
Ｓ３０６ステップにおいて、制御部１０は、記憶部８０を制御することにより記憶部８０に格納されているモードフラグをオフし、図２に示すＳ２００ステップへ処理を戻す。
【００４９】
尚、Ｓ３０６ステップにおいて初めからモードフラグがオフであれば、その状態を維持する。
【００５０】
Ｓ３０７ステップにおいて、制御部１０は、記憶部８０に格納されている設定データが電話モード又は留守番モードであると判定すると、Ｓ３０８ステップへ処理を進め、そうでなければ図２に示すＳ２００ステップへ処理を戻す。
【００５１】
Ｓ３０８ステップにおいて、制御部１０は、記憶部８０に格納されているモードフラグをオンし、図２に示すＳ２００ステップへ処理を戻す。
【００５２】
Ｓ３０９ステップにおいて、制御部１０は、リンガ１５０を制御することによりスピーカ１４０から呼出音を送出させると共に呼出音の送出回数のカウントを行い、Ｓ３１０ステップへ処理を進める。
【００５３】
Ｓ３１０ステップにおいて、制御部１０は、上記Ｓ３０８ステップにてカウントした呼出音の送出回数と、記憶部８０に格納されている留守モードに対応する呼出音送出回数の設定データと、を比較し、呼出音の送出回数が上記設定データを越えていると判定すると、Ｓ３０４ステップへ処理を進め、そうでなければＳ３１１ステップへ処理を進める。
【００５４】
Ｓ３１１ステップにおいて、制御部１０は、フックスイッチ１１０からハンドセット１２０のオフフックを示す信号を検出すると、Ｓ３１２ステップへ処理を進め、そうでなければ、Ｓ３０３ステップへ処理を戻す。
【００５５】
Ｓ３１２ステップにおいて、制御部１０は、ＮＣＵ２０を制御することにより回線を閉結させ、通話可能な状態にする。
【００５６】
続くＳ３１３ステップにおいて、制御部１０は、フックスイッチ１１０からハンドセット１２０がオンフックしたことを示す信号を検出すると図２のＳ２００ステップへ処理を戻し、そうでなければＳ３１２ステップへ処理を戻す。
【００５７】
図４に示すＳ３１４ステップにおいて、制御部１０は、記憶部８０に格納されている設定データを読み込み、上記設定データが留守モードであると判定するとＳ３１５ステップへ処理を進め、そうでなければＳ３２５ステップへ処理を進める。
【００５８】
Ｓ３１５ステップにおいて、制御部１０は、記憶部８０に格納されているフラグがオンであると判定するとＳ３１６ステップへ処理を進め、そうでなければＳ３１７ステップへ処理を進める。
【００５９】
Ｓ３１６ステップにおいて、制御部１０は、記憶部８０に格納されている強制呼出回数データを読み込み、回線接続までの呼出音の送出回数を上記強制呼出回数データの示す回数（例えば３回）にセットし、Ｓ３１８ステップへ処理を進める。
【００６０】
Ｓ３１７ステップにおいて、制御部１０は、記憶部８０に格納されている、留守モードに対応する通常呼出回数データを読み込み、回線接続までの呼出音の送出回数を上記通常呼出回数データの示す回数（例えば９回）にセットし、Ｓ３１８ステップへ処理を進める。
【００６１】
Ｓ３１８ステップにおいて、制御部１０は、リンガ１５０を制御することによりスピーカ１４０から呼出音を送出させると共に呼出音の送出回数のカウントを行い、Ｓ３１９ステップへ処理を進める。
【００６２】
Ｓ３１９ステップにおいて、制御部１０は、フックスイッチ１１０からハンドセット１２０のオフフックを示す信号を検出すると、Ｓ３３４ステップへ処理を進め、そうでなければ、Ｓ３２０ステップへ処理を進める。
【００６３】
Ｓ３２０ステップにおいて、制御部１０は、上記Ｓ３１８ステップにてカウントした呼出音の送出回数と、上記Ｓ３１６ステップ又はＳ３１７ステップにてセットした呼出音送出回数とを比較し、呼出音の送出回数がセットしたデータを越えていると判定すると、Ｓ３２１ステップへ処理を進め、そうでなければＳ３１８ステップへ処理を戻す。
【００６４】
Ｓ３２１ステップにおいて、制御部１０は、ＮＣＵ２０を制御することにより回線を閉結させると共に、モデム３０にＣＮＧ信号の検出を開始させ、Ｓ３２２ステップへ処理を進める。
【００６５】
続くＳ３２２ステップにおいて、制御部１０は、所定時間（例えば、３秒）以内にモデム３０からＣＮＧ信号を受信したことを示す信号を検出すると図３に示すＳ３０４ステップへ処理を進め、そうでなければＳ３２３ステップへ処理を進める。
【００６６】
Ｓ３２３ステップにおいて、制御部１０は、スピーカ１４０から呼出音を送出させると共にＤＳＰ７０を制御し、ＤＳＰ７０から例えば“ただ今出かけております”等のメッセージデータをＮＣＵ２０を介して回線Ｌへ送出させる。
【００６７】
続くＳ３２４ステップにおいて、制御部１０はＤＳＰ７０を制御することにより、回線Ｌから入力した用件メッセージをＤＳＰ７０へ格納させ、回線切断後、図２のＳ２００ステップへ処理を戻す。
【００６８】
このように、Ｓ３１４ステップからＳ３２４ステップでは、ファクシミリ装置が留守モードである際の動作を示しており、呼出回数フラグがオンであれば、受信が完了するまで一時的に、呼出音送出時間（呼出回数）を、発呼側端末の応答待ち時間（例えば３５秒）よりも短い時間（例えば約９秒、呼出回数を３回）としている為、操作に不慣れなユーザでも確実にファクシミリ受信を行うことが可能である。
【００６９】
Ｓ３２５ステップにおいて、制御部１０は、記憶部８０に格納されている呼出回数フラグがオンであると判定するとＳ３２６ステップへ処理を進め、そうでなければＳ３２７ステップへ処理を進める。
【００７０】
Ｓ３２６ステップにおいて、制御部１０は、記憶部８０に格納されている強制呼出回数データを読み込み、回線接続までの呼出音の送出回数を上記強制呼出回数データの示す回数（例えば３回）にセットし、Ｓ３２８ステップへ処理を進める。
【００７１】
Ｓ３２７ステップにおいて、制御部１０は、記憶部８０に格納されている、留守モードに対応する通常呼出回数データを読み込み、回線接続までの呼出音の送出回数を上記通常呼出回数データの示す回数（例えば１５回）にセットし、Ｓ３２８ステップへ処理を進める。
【００７２】
Ｓ３２８ステップでは、制御部１０は、リンガ１５０を制御することによりスピーカ１４０から呼出音を送出させると共に呼出音の送出回数のカウントを行い、Ｓ３２９ステップへ処理を進める。
【００７３】
Ｓ３２９ステップにおいて、制御部１０は、フックスイッチ１１０からハンドセット１２０のオフフックを示す信号を検出すると、Ｓ３３４ステップへ処理を進め、そうでなければ、Ｓ３３０ステップへ処理を進める。
【００７４】
Ｓ３３０ステップにおいて、制御部１０は、上記Ｓ３２８ステップにてカウントした呼出音の送出回数と、上記Ｓ３２６ステップ又はＳ３２７ステップにおいてセットした呼出音送出回数と、を比較し、呼出音の送出回数が上記設定データを越えていると判定すると、Ｓ３３１ステップへ処理を進め、そうでなければＳ３２８ステップへ処理を戻す。
【００７５】
Ｓ３３１ステップにおいて、制御部１０は、ＮＣＵ２０を制御することにより回線を閉結させると共に、モデム３０にＣＮＧ信号の検出を開始させ、Ｓ３３２ステップへ処理を進める。
【００７６】
続くＳ３３２ステップにおいて、制御部１０は、モデム３０から所定時間（例えば、３秒）以内にＣＮＧ信号を受信したことを示す信号を検出すると図３に示すＳ３０４ステップへ処理を進め、そうでなければＳ３３３ステップへ処理を進める。
【００７７】
Ｓ３３３ステップにおいて、制御部１０は、スピーカ１４０から所定時間呼出音を送出させると共にＤＳＰ７０を制御し、ＤＳＰ７０から例えば“ファクシミリに切換えます”等のメッセージデータをＮＣＵ２０を介して回線Ｌへ送出させ、図３に示すＳ３０４ステップへ処理を進める。
【００７８】
Ｓ３３４ステップでは、ハンドセット１２０が回線Ｌに接続されて通話が可能となる、その後、制御部１０はＳ３３５ステップへ処理を進める。
【００７９】
Ｓ３３５ステップでは、制御部１０は、入力部９０からスタートキーの押下信号を検出するとＳ３３６ステップへ処理を進め、そうでなければＳ３３８ステップへ処理を進める。
【００８０】
Ｓ３３６ステップにおいて、制御部１０は、スキャナ５０に原稿がセットされていると判定するとＳ３３７ステップへ処理を進め、一方、そうでなければ図３に示すＳ３０４ステップへ処理を進める。
【００８１】
Ｓ３３７ステップにおいて、制御部１０は、モデム３０を制御することにより回線ＬにＣＮＧ信号等のファクシミリ送信を希望する旨を相手方に知らせる為の制御信号を送信し、相手方が応答したならば、所定時間内にスキャナ５０にセットされている原稿を読み込みモデム３０にて変調させた後にＮＣＵ２０を介して回線Ｌへ送出させ、Ｓ３３９ステップへ処理を進める。
【００８２】
Ｓ３３８ステップでは、制御部１０は、フックスイッチ１１０のオンフックを検出するとＳ３３９ステップへ処理を進め、そうでなければＳ３３４ステップへ処理を戻す。
【００８３】
Ｓ３３９ステップにおいて、制御部１０は、ＮＣＵ２０を制御することにより回線Ｌを切断させ、Ｓ２００ステップへ処理を戻す。
【００８４】
以上説明したように、本実施例のファクシミリ装置は、待機時にユーザがスタートボタンを押下すると、次の着呼に限り自動的に呼出音の送出回数が３回となる。
【００８５】
このようにスタートボタンを押下するだけで呼出音の送出回数を少なくすることができる為、ファクシミリ装置が留守モード又は電話モードであると共に、受信側で設定された送出回数の呼出音送出に要する時間が送信側の相手応答待ち時間を越えている為に、ファクシミリ受信を行えないという問題を回避できる。
【００８６】
又、ユーザがスタートキーを押下し、一旦モードフラグがオンとなると、ファクシミリ受信が成功するまでは呼出音の送出回数を３回としているる為、送信側からのファクシミリ受信が失敗しても、再度スタートキーを押下したり呼出音の送出回数を変更する必要がない。
【００８７】
更に、着呼側ユーザがスタートキーを押下しなかった場合（フラグオフの場合）でも、一旦ファクシミリ通信が失敗すると着呼側のモードフラグがオンとなり、着呼側装置が次からの着呼に対して自動的に呼出音の送出回数を３回としている。このような構成としたのは、一旦ファクシミリ通信が行われ失敗した場合には、発呼側が再度ファクシミリ送信を試行する可能性が大であるからであり、このような構成とすることにより、着呼側のユーザは、複雑な操作をしなくとも確実にファクシミリ受信をすることができる。
【００８８】
尚、本実施例では、スタートキーの押下で変更する呼出音の送出回数を３回としたが、呼出音の送出回数はこの限りではない。
【００８９】
【発明の効果】
本発明の通信装置は、簡単な操作で確実に通信を行うことができる。
【図面の簡単な説明】
【図１】本発明を適用してなる実施例装置のブロック図である。
【図２】本実施例装置のフロー図である。
【図３】本実施例装置のフロー図である。
【図４】本実施例装置のフロー図である。
【符号の説明】
１０  制御部
２０  ＮＣＵ
３０  モデム
８０  記憶部
９０  入力部
１１０  フックスイッチ
【図１】
0003738192.tif 000002
【図２】
0003738192.tif 000003
【図３】
0003738192.tif 000004
【図４】
0003738192.tif 000005